(57)【要約】【課題】キャピラリの陰極端に近くに導電性部品が配置されていても、放電を回避することが可能なキャピラリ電気泳動装置を提供する。【解決手段】本発明のキャピラリ電気泳動装置によると、キャピラリの陰極端に近くに導電性部品が配置されていても、キャピラリの陰極端に装着された電極から導電性部品まで空間距離及び沿面距離が大きくなるような構造を有する。即ち、ロードヘッダの下面より突出したキャピラリ電極は、ロードヘッダと蒸発防止膜の間の空間を貫通し、更に、蒸発防止膜に形成されたキャピラリ孔を貫通して、容器内まで延びている。キャピラリ電極のうち、少なくともロードヘッダと蒸発防止膜の間の空間に露出している部分は、絶縁性部材によって覆われている。【選択図】図４Ａ
2010249579.tif 000002
【特許請求の範囲】
【請求項１】
１本又は複数本のキャピラリと、前記キャピラリが貫通するキャピラリ電極を備えたロードヘッダと、前記キャピラリ電極に電圧を印加する電源と、前記キャピラリの周囲温度を一定に保つ恒温槽と、前記キャピラリ内にて泳動分離された試料に励起光を照射し試料からの蛍光を検出する光学系と、試料又は電解溶液が収容された容器と該容器を覆う蒸発防止膜を有する溶液収納部と、前記溶液収納部を搬送するオートサンプラと、を有するキャピラリ電気泳動装置において、
前記ロードヘッダの下面より突出した前記キャピラリ電極は、前記ロードヘッダと前記蒸発防止膜の間の空間を貫通し、更に、前記蒸発防止膜に形成されたキャピラリ孔を貫通して、前記容器内まで延びており、
前記キャピラリ電極のうち、少なくとも前記ロードヘッダと前記蒸発防止膜の間の空間に露出している部分は、絶縁性部材によって覆われていることを特徴とするキャピラリ電気泳動装置。
【請求項２】
請求項１記載のキャピラリ電気泳動装置において、前記絶縁性部材は、前記蒸発防止膜の上記キャピラリ孔の内部まで延びていることを特徴とするキャピラリ電気泳動装置。
【請求項３】
請求項１記載のキャピラリ電気泳動装置において、前記蒸発防止膜の上面には、上記キャピラリ孔を囲む筒状部が形成されていることを特徴とするキャピラリ電気泳動装置。
【請求項４】
請求項３記載のキャピラリ電気泳動装置において、前記筒状部は、前記キャピラリ孔の各々を囲むように、前記キャピラリ孔の各々に対して設けられていることを特徴とするキャピラリ電気泳動装置。
【請求項５】
請求項３記載のキャピラリ電気泳動装置において、前記筒状部は、前記キャピラリ孔の全てを囲むように設けられていることを特徴とするキャピラリ電気泳動装置。
【請求項６】
請求項１記載のキャピラリ電気泳動装置において、
前記ロードヘッダの下面には凹部が形成され、前記絶縁性部材は、該凹部の底より下方に延びていることを特徴とするキャピラリ電気泳動装置。
【請求項７】
請求項６記載のキャピラリ電気泳動装置において、
前記凹部は、前記キャピラリ電極の各々が配置されるように、前記キャピラリ電極の各々に対して形成されていることを特徴とするキャピラリ電気泳動装置。
【請求項８】
請求項６記載のキャピラリ電気泳動装置において、
前記凹部は、前記キャピラリ電極の全てが配置されるように形成されていることを特徴とするキャピラリ電気泳動装置。
【請求項９】
請求項１記載のキャピラリ電気泳動装置において、
前記絶縁性部材は、前記ロードヘッダの下面より突出した前記ロードヘッダの一部分として構成されていることを特徴とするキャピラリ電気泳動装置。
【請求項１０】
請求項１記載のキャピラリ電気泳動装置において、
前記絶縁性部材は、前記ロードヘッダの下面に装着された前記ロードヘッダとは別部材によって構成されていることを特徴とするキャピラリ電気泳動装置。
【請求項１１】
請求項１記載のキャピラリ電気泳動装置において、
前記絶縁性部材は、前記キャピラリ電極のコーティングによって構成されていることを特徴とするキャピラリ電気泳動装置。
【請求項１２】
１本又は複数本のキャピラリと、前記キャピラリの両端に電圧を印加する電源と、前記キャピラリの周囲温度を一定に保つ恒温槽と、前記キャピラリ内にて泳動分離された試料に励起光を照射し試料からの蛍光を検出する光学系と、試料又は電解溶液が収容された容器と該容器を覆う蒸発防止膜を有する溶液収納部と、前記溶液収納部を搬送するオートサンプラと、を有するキャピラリ電気泳動装置に使用するロードヘッダにおいて、
前記キャピラリが貫通するキャピラリ電極を備え、前記キャピラリ電極のうち、少なくとも前記ロードヘッダと前記蒸発防止膜の間の空間に露出している部分は、絶縁性部材によって覆われていることを特徴とするたロードヘッダ。
【請求項１３】
請求項１２記載のロードヘッダにおいて、
前記ロードヘッダの下面には凹部が形成され、前記絶縁性部材は、該凹部の底より下方に突出していることを特徴とするロードヘッダ。
【請求項１４】
請求項１３記載のロードヘッダにおいて、
前記凹部は、前記キャピラリ電極の各々が配置されるように、前記キャピラリ電極の各々に対して形成されていることを特徴とするロードヘッダ。
【請求項１５】
請求項１３記載のロードヘッダにおいて、
前記凹部は、前記キャピラリ電極の全てが配置されるように形成されていることを特徴とするロードヘッダ。
【請求項１６】
請求項１２記載のロードヘッダにおいて、
前記絶縁性部材は、該ロードヘッダの下面より突出した該ロードヘッダの一部分として構成されていることを特徴とするロードヘッダ。
【請求項１７】
請求項１記載のロードヘッダにおいて、
前記絶縁性部材は、該ロードヘッダとは別部材によって構成されていることを特徴とするロードヘッダ。
【請求項１８】
１本又は複数本のキャピラリと、前記キャピラリが貫通するキャピラリ電極を備えたロードヘッダと、前記キャピラリ電極に電圧を印加する電源と、前記キャピラリの周囲温度を一定に保つ恒温槽と、前記キャピラリ内にて泳動分離された試料に励起光を照射し試料からの蛍光を検出する光学系と、オートサンプラと、を有するキャピラリ電気泳動装置に使用する溶液収納部において、
試料又は電解溶液が収容された容器と、該容器を覆う蒸発防止膜を有し、該蒸発防止膜は、板状の本体と、キャピラリが貫通するためのキャピラリ孔と、前記キャピラリ孔を囲む筒状の突起部とを有することを特徴とする溶液収納部。
【請求項１９】
請求項１８記載の溶液収納部において、前記筒状部は、前記キャピラリ孔の各々を囲むように、前記キャピラリ孔の各々に対して設けられていることを特徴とする溶液収納部。
【請求項２０】
請求項１８記載の溶液収納部において、前記筒状部は、前記キャピラリ孔の全てを囲むように設けられていることを特徴とする溶液収納部。
【発明の詳細な説明】
【技術分野】
【０００１】
本発明は、核酸、蛋白質などの試料を電気泳動により分離及び分析するキャピラリ電気泳動装置に関する。
【背景技術】
【０００２】
キャピラリ電気泳動装置では、電気泳動を行うためにキャピラリに高電圧を印加する。近年、電気泳動の高速化のために印加電圧を高圧化する傾向がある。キャピラリの陰極端の近くに電位差を有する導電性部品が存在すると、放電が起きる可能性が生じる。
【０００３】
そこで、従来のキャピラリ電気泳動装置では、放電を回避するためには、キャピラリの陰極端の近くに導電性部品を配置しないように、設計されている。
【先行技術文献】
【特許文献】
【０００４】
【特許文献１】特開２０００−３４６８２８
【発明の概要】
【発明が解決しようとする課題】
【０００５】
近年、キャピラリ電気泳動装置をより小型化する要望がある。装置を小型化すると、不可避的に、キャピラリの陰極端と導電性部品は近接して配置されることとなる。そのため、放電が起きる可能性が大きくなる。
【０００６】
本願の発明者は、放電が起きる可能性は、キャピラリの陰極端に装着された電極の露出部と導電性部品の間の空間距離及び沿面距離に依存することに着目した。そこで本願の発明者は、キャピラリの陰極端の近くに導電性部品が配置されていても、空間距離及び沿面距離が大きければ、放電を防止することができると考えた。
【０００７】
本発明の目的は、キャピラリの陰極端の近くに電位差を有する導電性部品が配置されていても、放電を回避することが可能なキャピラリ電気泳動装置を提供することにある。
【課題を解決するための手段】
【０００８】
本発明は、１本又は複数本のキャピラリと、前記キャピラリが貫通するキャピラリ電極を備えたロードヘッダと、前記キャピラリ電極に電圧を印加する電源と、前記キャピラリの周囲温度を一定に保つ恒温槽と、前記キャピラリ内にて泳動分離された試料に励起光を照射し試料からの蛍光を検出する光学系と、試料又は電解溶液が収容された容器と該容器を覆う蒸発防止膜を有する溶液収納部と、前記溶液収納部を搬送するオートサンプラと、を有するキャピラリ電気泳動装置に関する。
【０００９】
例えば、ロードヘッダの下面より突出したキャピラリ電極は、ロードヘッダと蒸発防止膜の間の空間を貫通し、更に、蒸発防止膜に形成されたキャピラリ孔を貫通して、容器内まで延びている。キャピラリ電極のうち、少なくともロードヘッダと蒸発防止膜の間の空間に露出している部分は、絶縁性部材によって覆われている。キャピラリの陰極端に近くに導電性部品が配置されていても、キャピラリの陰極端に装着された電極から導電性部品まで空間距離及び沿面距離が大きくなる。
【発明の効果】
【００１０】
本発明によると、キャピラリの陰極端に近くに導電性部品が配置されていても、放電を回避することが可能となる。
【図面の簡単な説明】
【００１１】
【図１】キャピラリ電気泳動装置の例の概要を示す図
【図２Ａ】キャピラリ電気泳動装置の例において、キャピラリ、ロードヘッダ及び溶液収納部を示す図
【図２Ｂ】キャピラリ電気泳動装置の例において、キャピラリ、ロードヘッダ及び溶液収納部を組み立てた状態を示す図
【図３Ａ】キャピラリ電気泳動装置における、キャピラリ、ロードヘッダ、及び、溶液収納部を示す断面図
【図３Ｂ】キャピラリ電気泳動装置における、ロードヘッダ、及び、溶液収納部の一部を拡大した断面図
【図４Ａ】キャピラリ電気泳動装置における、放電防止機構の第１の例を示す断面図
【図４Ｂ】キャピラリ電気泳動装置における、放電防止機構の第１の例の一部を拡大した断面図
【図５Ａ】キャピラリ電気泳動装置における、蒸発防止膜の一例を示す図
【図５Ｂ】キャピラリ電気泳動装置における、蒸発防止膜の一例を示す斜視図
【図６Ａ】キャピラリ電気泳動装置における、蒸発防止膜の一例を示す図
【図６Ｂ】キャピラリ電気泳動装置における、蒸発防止膜の一例を示す斜視図
【図７Ａ】キャピラリ電気泳動装置における、放電防止機構の第２の例を示す断面図
【図７Ｂ】キャピラリ電気泳動装置における、放電防止機構の第２の例の一部を拡大した断面図
【図８Ａ】キャピラリ電気泳動装置における、放電防止機構の第３の例を示す断面図
【図８Ｂ】キャピラリ電気泳動装置における、放電防止機構の第３の例の一部を拡大した断面図
【図９Ａ】キャピラリ電気泳動装置における、放電防止機構の第４の例を示す断面図
【図９Ｂ】キャピラリ電気泳動装置における、放電防止機構の第４の例の一部を拡大した断面図
【発明を実施するための形態】
【００１２】
図１はキャピラリ電気泳動装置の一例の概要を示す。本例のキャピラリ電気泳動装置は、１本又は複数本のキャピラリ101を含むキャピラリアレイ102、キャピラリ101にポリマーを注入するためのポンプ機構103、キャピラリ101内のサンプルに光を照射し、サンプルの蛍光を検出するための光学系104、キャピラリ101に高電圧を加えるための高圧電源105、キャピラリ101を恒温に保つための恒温槽106、試料、溶液等が入った容器を搬送するためのオートサンプラ107を有する。
【００１３】
キャピラリ101は交換可能な部材であり、測定手法を変更する場合や、キャピラリ101に破損や品質の劣化がみられたときに交換する。キャピラリ101は、内径が数十から数百ミクロン、外径が数百ミクロンのガラス管で構成され、表面はポリイミドでコーティングされている。キャピラリ101の内部は、電気泳動時に泳動速度差を与えるための分離媒体が充填される。分離媒体は流動性と、非流動性の双方が存在するが、本実施例では流動性のポリマーを用いる。
【００１４】
キャピラリ101の一端にはキャピラリヘッド117が設けられ、他端にはキャピラリ陰極端118が形成されている。キャピラリヘッド117は、キャピラリ101の端部を束ねたものであり、ポンプ機構103とキャピラリ101を接続させる機能を有する。キャピラリ陰極端118は、試料、溶液等に接触する。キャピラリ陰極端側では、キャピラリ101はロードヘッダ115によって固定されている。ロードヘッダ115には陰極電極114と金属製の中空のキャピラリ電極120が装着されている。陰極電極114とキャピラリ電極120は導通している。キャピラリ陰極端118はキャピラリ電極120を貫通し、その先から突出している。
【００１５】
光学系104は、照射系と検出系からなる。光学系104は、キャピラリ101のポリイミド被膜が除去されている部分、即ち、検出部に励起光を照射する機能を有する。検出系は、キャピラリ101の検出部内のサンプルからの蛍光を検出する機能を有する。検出系によって検出された光によって試料を分析する。
【００１６】
ポンプ機構103は、シリンジ108、ブロック109、逆支弁110、ポリマー容器111及び陽極バッファ容器112を有する。キャピラリヘッド117をブロック109に接続することで、キャピラリ101とブロック109内の流路が接続される。シリンジ108の操作により、ポリマー容器111内のポリマーがブロック109内の流路を経由してキャピラリ101に充填され又は詰め替えられる。キャピラリ101中のポリマーの詰め替えは測定の性能を向上するために測定毎に実施される。
【００１７】
陽極バッファ容器112には陽極電極113が配置されている。高圧電源105は、陽極電極113と陰極電極114の間に高電圧を印加する。
【００１８】
本例の恒温槽106は、ラバーヒータによる挟み込み方式である。即ち、断熱材とヒータが取り付けられた温度制御板により、キャピラリアレイ102を平面状に挟み込んで、キャピラリの温度を一定に保つ。温度制御板にはフィードバック用の温度センサが取り付けられている。尚、本例の恒温槽106の代わりに空気恒温槽が用いられてよい。また、キャピラリアレイ102に設けられた基準ベース116により、キャピラリアレイ102を光学系104の所望の位置に固定することができる。また、キャピラリアレイのロードヘッダ115を恒温槽に固定することにより、キャピラリ陰極端118及びキャピラリ電極120を所望の位置に配置することができる。
【００１９】
オートサンプラ107は、移動ステージを移動させるための3つの電動モータとリニアガイドを備えており、移動ステージを上下、左右、および奥行きの３軸方向に移動可能である。移動ステージは、バッファ容器、洗浄容器、廃液容器およびサンプルプレートを必要に応じてキャピラリ陰極端118まで搬送できる。
【００２０】
キャピラリ電気泳動装置には冷却ファン119が設けられている。装置内は高圧電源105などの発熱体が設けられている。そこで、冷却ファン119によって装置内の空気の循環が生成され、局所的な温度上昇を抑えることができる。
【００２１】
図２Ａ及び図２Ｂを参照して、キャピラリ電気泳動装置によって用いられる溶液収納部の例を説明する。図２Ａに示すように、本例の溶液収納部は、容器（溶液トレイ）210と蒸発防止膜200を有する。ロードヘッダ115には、管状部材であるキャピラリ電極120が装着されている。キャピラリ101は、キャピラリ電極120を貫通し、キャピラリの先端、即ち、キャピラリ陰極端118は、キャピラリ電極120の下端より露出している。こうして、キャピラリ電極120を介してキャピラリ101内のポリマに電圧を印加することができる。
【００２２】
蒸発防止膜200は、本体201、キャピラリ孔202、及び、下側突起部203を有する。キャピラリ孔202の開口部には、本体201と一体的に形成されたシール部204が設けられている。シール部204は、中心が十字状に切断された薄い膜によって構成されている。キャピラリ孔202に、キャピラリ電極120が貫通する。シール部204が、キャピラリ電極120の周囲に密着することによって、キャピラリ電極120とキャピラリ孔202の間隙から容器210に収納された溶液が蒸発することが防止される。
【００２３】
ロードヘッダ115は電気絶縁性の高い樹脂材で構成されており、また容器210、及び、蒸発防止膜200も電気絶縁性の高い樹脂材で構成されている。
【００２４】
図２Ｂは、キャピラリ101、ロードヘッダ115、容器210及び蒸発防止膜200が組み立てられた状態を示す。容器210の上に、蒸発防止膜200が装着されている。蒸発防止膜200のキャピラリ孔202に、キャピラリ101が挿入されている。オートサンプラ107によって溶液収納部を搬送するとき、ロードヘッダ115と蒸発防止膜200の間に、垂直方向の相対的な位置ずれが生じる場合がある。そこで、本例では、図示のように、ロードヘッダ115と蒸発防止膜200の間に隙間が形成されている。従って、ロードヘッダ115と蒸発防止膜200の間に、相対的な位置ずれが生じても、両者間の隙間によって、それを吸収することができる。ロードヘッダ115と蒸発防止膜200の間に隙間が形成されていない場合、ロードヘッダ115と蒸発防止膜200の間に垂直方向の相対的な位置ずれが生じると、容器210及びオートサンプラ107に過度の負荷がかかる。本例では、このようなことはない。
【００２５】
図３Ａ及び図３Ｂを参照して、キャピラリ電気泳動装置における放電現象を説明する。図３Ａに示すように、ロードヘッダ115と溶液収納部の組立体の周囲に、導電体301が存在するものとする。導電体301は、電磁波を遮蔽するためのシールド部品、又は、恒温槽106の金属製フレームであってよい。キャピラリ電極120と導電体301の間の空間には、両者の間を遮る物体は存在しないものとする。キャピラリ電極120と導電体301の間の空間に発生する放電は、両者間の空間距離及び沿面距離に依存する。
【００２６】
図３Ｂを参照して、空間距離及び沿面距離を説明する。実線矢印にて示す空間距離は、空間内において、キャピラリ電極120の露出部と導電体301を結ぶ最短距離である。一方、破線矢印にて示す沿面距離は、空間内において、キャピラリ電極120の露出部と導電体301の間を結ぶ、絶縁体の表面に沿った最短距離である。但し、絶縁体が存在しない空間部分では、空間距離と沿面距離は同一経路にて測定する。キャピラリ電極120と導電体301の間に放電が発生することを回避するためには、空間距離及び沿面距離が所定の値より大きくなければならない。即ち、キャピラリ電極120の露出部の近くに導電体301が配置されていても、空間距離及び沿面距離が所定の閾値より大きければ、放電の発生を回避することができる。この所定の閾値は、印加電圧毎に異なり、更に、キャピラリ電気泳動装置が設置された環境毎に異なる。そのため、所定の閾値は、個別的に、実測することによってのみ得られる。キャピラリ電気泳動装置において、キャピラリ電極120に印加する電圧は、例えば、予備泳動の場合、数ｋＶ、本泳動の場合、数十ｋＶである。そこで、この電圧を実際に印加して、放電を起こさせればよい。
【００２７】
図４Ａ及び図４Ｂを参照して、キャピラリ電気泳動装置における、放電防止機構の第１の例を説明する。図４Ａに示すように、ロードヘッダ115と溶液収納部の組立体の周囲に、導電体301が存在するものとする。キャピラリ電極120と導電体301の間の空間には、両者の間を遮る物体は存在しないものとする。
【００２８】
図４Ｂに示すように、本例のロードヘッダ115は、その下面に複数の凹部401を有し、この凹部401に突起状のカバー部402が形成されている。キャピラリ電極120は、このカバー部402の孔を貫通している。一方、蒸発防止膜200には、キャピラリ電極120が貫通するためのキャピラリ孔202が設けられている。キャピラリ孔202の上端には、筒状の突起部205が設けられている。蒸発防止膜200の筒状の突起部205の外径は、ロードヘッダ115の凹部401の内径より小さい。筒状の突起部205の少なくとも一部は、ロードヘッダ115の凹部401内に配置されている。
【００２９】
実線矢印は、キャピラリ電極120の露出部と導電体301の間の空間距離を測定する経路を表し、破線矢印は、キャピラリ電極120の露出部と導電体301の間の沿面距離を測定する経路を表す。先ず、空間距離を説明する。キャピラリ電極120は、ロードヘッダ115のカバー部402の下端より突出している。従って、キャピラリ電極120の露出部の上端の位置Ａが、導電体301に最も近い。そこで、キャピラリ電極120の露出部の上端の位置Ａ、蒸発防止膜200の筒状の突起部205の内縁Ｂ、外縁Ｃ、ロードヘッダ115の凹部401の縁Ｄ、及び、ロードヘッダ115の下面を通る経路に沿って測定した直線距離が、空間距離となる。本例のキャピラリ電気泳動装置における空間距離は、図３Ｂに示したキャピラリ電気泳動装置における空間距離より十分長い。
【００３０】
次に、沿面距離を説明する。キャピラリ電極120の露出部の上端の位置Ａ、ロードヘッダ115の凹部401の底の内側の縁Ｅ、凹部401の底の外側の縁Ｆ、ロードヘッダ115の凹部401の縁Ｄ、及び、ロードヘッダ115の下面を通る経路に沿って測定した直線距離が、沿面距離となる。本例のキャピラリ電気泳動装置における沿面距離は、図３Ｂに示したキャピラリ電気泳動装置における沿面距離より十分長い。
【００３１】
こうして本例のキャピラリ電気泳動装置では、空間距離及び沿面距離が、図３Ｂに示したキャピラリ電気泳動装置の空間距離及び沿面距離より大きいから、キャピラリ電極120の露出部と導電体301の間の放電が起き難い。そのため、本例のキャピラリ電気泳動装置では、ロードヘッダと溶液収納部の組立体の位置を、導電体301のより近くに設定することができる。従って、キャピラリ電気泳動装置の小型化を実現することができる。
【００３２】
図５Ａ及び図５Ｂは蒸発防止膜の第１の例を示す。本例の蒸発防止膜200は、板状の本体201、キャピラリ孔202、下側突起部203、及び、筒状の突起部205を有する。キャピラリ孔202の各々は、１つの筒状の突起部205によって囲まれている。従って、筒状の突起部205は、キャピラリ孔202と同数個設けられている。
【００３３】
本例の蒸発防止膜は、図４Ａ及び図４Ｂに示す放電防止機構の第１の例、及び、図８Ａ及び図８Ｂに示す放電防止機構の第３の例に用いられるが、図７Ａ及び図７Ｂに示す放電防止機構の第２の例に用いることもできる。更に、本例の蒸発防止膜は、図９Ａ及び図９Ｂに示す放電防止機構の第４の例に用いることもできる。
【００３４】
図６Ａ及び図６Ｂは蒸発防止膜の更に他の例を示す。本例の蒸発防止膜200は、板状の本体201、キャピラリ孔202、下側突起部203、及び、筒状の突起部207を有する。キャピラリ孔202の開口部には、本体201と一体的に形成されたシール部204が設けられている。シール部204は、中心が十字状に切断された薄い膜によって構成されている。突起部207は本体201と一体的に形成されてよい。全てのキャピラリ孔202は、１つの筒状の突起部207によって囲まれている。従って、本例では、１つの筒状の突起部207が設けられている。
【００３５】
本例の蒸発防止膜は、図７Ａ及び図７Ｂに示す放電防止機構の第２の例に用いられるが、図４Ａ及び図４Ｂに示す放電防止機構の第１の例、及び、図８Ａ及び図８Ｂに示す放電防止機構の第３の例に用いることもできる。更に、本例の蒸発防止膜は、図９Ａ及び図９Ｂに示す放電防止機構の第４の例に用いることもできる。
【００３６】
図７Ａ及び図７Ｂを参照して、本例のキャピラリ電気泳動装置における、放電防止機構の第２の例を説明する。図７Ａに示すように、本例のロードヘッダ115は、その下面に１つの凹部403を有し、この凹部403に複数の突起状のカバー部402が形成されている。キャピラリ電極120は、このカバー部402の孔を貫通している。一方、蒸発防止膜200には、キャピラリ電極120が貫通するための複数のキャピラリ孔202が設けられている。蒸発防止膜200の上面には、全てのキャピラリ孔202囲むように形成された１つの筒状の突起部207が設けられている。蒸発防止膜200の筒状の突起部207の少なくとも一部は、ロードヘッダ115の凹部403内に配置されている。
【００３７】
図７Ｂを参照して、空間距離及び沿面距離の寸法の例を説明する。ロードヘッダ115の突起状のカバー部402の下端の厚さを0.1ｍｍ、カバー部402のテーパ部の寸法、即ち、テーパ部の下端Ａから上端Ｂまでの距離を3ｍｍ、テーパ部の上端Ｂから蒸発防止膜200のキャピラリ孔202の縁Ｃまでの距離を4.1ｍｍ、蒸発防止膜200のキャピラリ孔202の縁Ｃから筒状の突起部207の内縁Ｄまでの距離を12.2ｍｍ、筒状の突起部207の厚さ、即ち、内縁Ｄから外縁Ｅまでの距離を1ｍｍ、筒状の突起部207の外縁Ｅから、ロードヘッダ115の凹部403の縁Ｆまでの距離を6.8ｍｍとする。空間距離は、0.1+3+4.1+12.2+1+6.8=27.2ｍｍとなる。
【００３８】
ロードヘッダ115の突起状のカバー部402のテーパ部の上端Ｂから、ロードヘッダ115の凹部403の底までの距離を16ｍｍ、ロードヘッダ115の凹部403の底の寸法を8ｍｍ、ロードヘッダ115の凹部403の深さ7ｍｍとする。沿面距離は、0.1+3+16+8+7=34.1mmとなる。ロードヘッダ115の凹部403の内壁からキャピラリ電極120までの距離を8.7ｍｍとする。本例のキャピラリ電気泳動装置では、図３Ｂのキャピラリ電気泳動装置と比較して、空間距離が27.2-8.7=18.5[mm]、沿面距離が34.1-8.7=25.4[mm]、増加したことになる。
【００３９】
図８Ａ及び図８Ｂを参照して、放電防止機構の第３の例を説明する。本例のロードヘッダ115は、その下面に複数の凹部401を有する。凹部401の各々には、絶縁性材料からなるカバー部材404が装着されている。カバー部材404は、ロードヘッダ115と別部材として形成され、ロードヘッダ115の凹部401に溶着又は接着405によって固定されている。
【００４０】
キャピラリ電極120は、凹部401の底面より突出し、カバー部材404の孔を貫通している。本例のカバー部材404は、図４Ｂの放電防止機構の第１の例における突起状のカバー部402に相当する。こうして本例では、図４Ｂの放電防止機構の例と同様に、空間距離及び沿面距離が大きくなる。
【００４１】
尚、図８Ａに示すように、本例のロードヘッダ115では、キャピラリ電極120毎に、凹部401が形成されているが、図７Ａに示した例のように、ロードヘッダ115に１つの凹部403を形成し、蒸発防止膜200に全てのキャピラリ電極120を囲むように１つの筒状の突起部207を設けてもよい。
【００４２】
図９Ａ及び図９Ｂを参照して、放電防止機構の第４の例を説明する。本例のキャピラリ電気泳動装置を図３Ａ及び図３Ｂの例と比較すると、キャピラリ電極120が絶縁性材料のコーティング406が装着されている点が異なる。即ち、ロードヘッダ115の下面より突出したキャピラリ電極120の部分に、絶縁性材料のコーティング406が形成されている。絶縁性材料は、例えば、ポリイミドであってよい。こうして本例では、図４Ｂの例と同様に、空間距離及び沿面距離が大きくなる。
【００４３】
蒸発防止膜200は、図３Ａに示した蒸発防止膜が用いられてよいが、図４Ａ及び図４Ｂ、図５Ａ及び図５Ｂ、図６Ａ及び図６Ｂに示した蒸発防止膜を用いてもよい。
【００４４】
以上、本発明に例を説明したが、本発明に上述の例に限定されるものではなく、特許請求の範囲に記載された発明の範囲にて様々な変更が可能であることは当業者に理解されよう。
【符号の説明】
【００４５】
101…キャピラリ、102…キャピラリアレイ、103…ポンプ機構、104…光学系、105…高圧電源、106…恒温槽、107…オートサンプラ、108…シリンジ、109…ブロック、110…逆支弁、111…ポリマー容器、112…陽極バッファ容器、113…陽極電極、114…陰極電極、115…ロードヘッダ、116…基準ベース、117…キャピラリヘッド、118…キャピラリ陰極端、119…冷却ファン、120…キャピラリ電極、200…蒸発防止膜、201…本体、202…キャピラリ孔、203…下側突起部、204…シール部、205、207…突起部、210…溶液収納部（溶液トレイ）、301キャピラリ周囲の導電体、401…凹部、402…カバー部、403…凹部、404…カバー部材、405…溶着又は接着、406…コーティング
【図１】
2010249579.tif 000003
【図２Ａ】
2010249579.tif 000004
【図２Ｂ】
2010249579.tif 000005
【図３Ａ】
2010249579.tif 000006
【図３Ｂ】
2010249579.tif 000007
【図４Ａ】
2010249579.tif 000008
【図４Ｂ】
2010249579.tif 000009
【図５Ａ】
2010249579.tif 000010
【図５Ｂ】
2010249579.tif 000011
【図６Ａ】
2010249579.tif 000012
【図６Ｂ】
2010249579.tif 000013
【図７Ａ】
2010249579.tif 000014
【図７Ｂ】
2010249579.tif 000015
【図８Ａ】
2010249579.tif 000016
【図８Ｂ】
2010249579.tif 000017
【図９Ａ】
2010249579.tif 000018
【図９Ｂ】
2010249579.tif 000019